(57)【要約】      （修正有）【課題】破壊用ハンマーと長尺バーを側板接合部に配することで、その固定と位置決めが容易な保護ケーシングを提供する。【解決手段】掘削機など作業機のブームの自由端に設置する破壊用ハンマーに衝撃パルスを与える衝撃装置を、使用中の打ち傷等から保護する保護ケーシングにおいて、保護ケーシングをその下部に配設する第１のケーシング７ａとその上部に配設する第２のケーシング７ｂで構成し、両者は例えば溶接等により互いに固定する。第１のケーシング７ａの断面は複数の側板１２ａ乃至１２ｄで構成し、これらを接合隅部には、実質的に正方形若しくは長方形であり、４枚の該側板と４つの隅部１３ａ乃至１３ｄとを含む。該接合隅部１３ａ乃至１３ｄには、長尺状バー１４ａ乃至１４ｄを設け、ケーシング部７ａ下端から上端まで延在せしめる。該長尺状バー１４ａ乃至１４ｄは、丸形バーでも良い。【選択図】図３
0003146972.tif 000002
【実用新案登録請求の範囲】
【請求項１】
破壊用ハンマーに連結される工具に対して衝撃パルスを発生するよう配設された衝撃装置と、
該衝撃装置が内部に配設され、前記工具の側に該工具が挿入される下端部、および反対側の上端部を含む長尺状保護ケーシングと、
該保護ケーシングの上部の部位にあって、該破壊用ハンマーを作業機へ固定できる少なくとも１組の固定手段とを含み、
前記保護ケーシングの断面は、複数の隅部を含む破壊用ハンマーにおいて、
前記保護ケーシングは複数の長尺状バーを含み、
該バーは、前記保護ケーシングの隅部に配設されていることを特徴とする破壊用ハンマー。
【請求項２】
互いに固定された少なくとも３枚の長尺状側板を含む断面を有する破壊用ハンマーの保護ケーシングにおいて、
該保護ケーシングは複数の長尺状バーを含み、
該バーは、前記側板の間の接合隅部にて該側板の縁端部へ固定されていることを特徴とする破壊用ハンマーの保護ケーシング。
【請求項３】
請求項２に記載の保護ケーシングにおいて、
該保護ケーシングは下端部側に第１のケーシング部を、また上端部側に第２のケーシング部を含み、両ケーシング部は順に固定され、
少なくとも第１のケーシング部の接合隅部にはバーが設けられていることを特徴とする保護ケーシング。
【請求項４】
請求項３に記載の保護ケーシングにおいて、第１のケーシング部は、前記下端部から見た場合、おおむね該保護ケーシングの中央領域まで延在していることを特徴とする保護ケーシング。
【請求項５】
請求項２ないし５のいずれかに記載の保護ケーシングにおいて、前記バーの断面の外形は実質的に丸いことを特徴とする保護ケーシング。
【請求項６】
請求項２に記載の保護ケーシングにおいて、
該保護ケーシングは、下端部側に第１のケーシング部を、また上端部側に第２のケーシング部を含み、両ケーシング部は順に固定され、
第２ケーシング部は均一の鋳造物であることを特徴とする保護ケーシング。
【請求項７】
請求項２に記載の保護ケーシングにおいて、前記バーは実質的に該保護ケーシングの全長に沿って延在していることを特徴とする保護ケーシング。
【考案の詳細な説明】
【技術分野】
【０００１】
本考案は、破壊用ハンマーとその保護ケーシングに関するものである。破壊用ハンマーには保護ケーシングが設けられ、これは、破壊用ハンマーの衝撃装置を囲繞して、これを打ち傷および不純物から保護している。さらに、破壊用ハンマーは通常、作業機のブーム等へ保護ケーシングによって固定されている。保護ケーシングは長尺状部材であり、その断面は隅部を構成している。本考案の目的は本願の独立請求項の前段に詳細に記載されている。
【背景技術】
【０００２】
岩石、コンクリート、もしくは他の比較的硬い材質を破壊しようとする場合、掘削機もしくは他の作業機械の補助装置として破壊用ハンマーが用いられる。破壊用ハンマーは衝撃装置を有し、これによって破壊用ハンマーに取り付けた工具に対して衝撃を与え、工具はさらにこの衝撃を被破壊材へ伝達する。衝撃装置は通常液圧式であり、衝撃ピストンを有し、これは、液圧の作用により往復運動を行なって、工具の上端部の衝撃面を打撃する。衝撃ピストンによって衝撃が与えられている間、工具は被破壊材に対して押圧され、これによって工具は、衝撃と押圧の作用のため被破壊材へ貫入して、被破壊材を破壊する。破壊用ハンマーには保護ケーシングが設けられ、これは通常、互いに取り付けられた４枚の側板で形成されている。側板は、保護ケーシングの隅部で長手方向の溶接シームによって互いに溶接されている。破壊用ハンマーの欠点は、例えば、製造中に側板を互いに正確に位置決めすることが困難なことである。また、保護ケーシングの隅部が使用中に非常に大きな応力を受けてシームが破壊する可能性があるため、隅部における溶接接合部の強度が問題となる。
【考案の開示】
【考案が解決しようとする課題】
【０００３】
本考案は、新規で改善された破壊用ハンマーとその保護ケーシングを提供することを目的とする。
【課題を解決するための手段】
【０００４】
本考案の破壊用ハンマーは、保護ケーシングが複数の長尺状バーを含み、各バーが保護ケーシングの隅部に配設されていることを特徴とする。
【０００５】
本考案の保護ケーシングは、保護ケーシングが複数の長尺状バーを含み、各バーが側板間の接合隅部にて側板の縁端部へ固定されていることを特徴とする。
【０００６】
本考案の概念は、破壊用ハンマーの保護ケーシングの少なくともいくつかの断面が隅部を含み、ここに長尺状バーが配設されていることにある。保護ケーシングの断面には側板を設けてよく、これらは接合隅部にて互いに固定されている。
【考案の効果】
【０００７】
本考案は、バーによって、保護ケーシングの側板の固定が容易であるという利点を提供する。さらに、側板は、バーによってより正確に位置決めすることができる。また、状況によって保護ケーシングを容易に修正することができる。バーはさらに、保護ケーシングの隅部を補強し、これによって保護ケーシングを従前より頑丈になる。
【０００８】
一実施例の概念は、保護ケーシングの断面が実質的に直角であり、４枚の側板と、これらの間に４つの接合隅部とを含むことにある。各接合隅部はバーを含む。
【０００９】
一実施例の概念は、接合隅部へ固定されたバーが保護ケーシングの外面に配されていることにある。
【００１０】
一実施例の概念は、上記バーが実質的に保護ケーシングの全長に沿って延在していることにある。
【００１１】
一実施例の概念は、上記バーが保護ケーシングの長さの一部に沿って延在していることにある。
【００１２】
一実施例の概念は、保護ケーシングが長尺状の第１のケーシング部と長尺状の第２のケーシング部とを含み、これらが別々の段階で製造され、順に配設されていることにある。工具側の少なくとも第１のケーシング部は４枚の側板を含み、長尺状バーは側板間の長手方向の接合隅部に配設され、これらのバーは実質的に第１のケーシング部の全長に沿って延在している。
【００１３】
一実施例の概念は、保護ケーシングの第１のケーシング部が、保護ケーシングの下端部から見て、保護ケーシング中央の領域まで延在していることにある。
【００１４】
一実施例の概念は、保護ケーシングが横から見て円錐形であり、工具側の端部に向かって狭まっていることにある。
【００１５】
一実施例の概念は、バーの断面の外形が実質的に丸いことにある。
【００１６】
一実施例の概念は、バーの断面の外形が直角であることにある。したがって、外形は、正方形もしくは長方形でもよい。
【００１７】
一実施例の概念は、バーの断面の外形が多角形であることにある。この外形は、例えば六角形もしくは八角形でもよい。
【００１８】
一実施例の概念は、バーが中実の材料で形成されていることにある。
【００１９】
一実施例の概念は、バーのうち少なくともいくつかが管状であることにある。中実のバーに比べると、管状のものは軽いという利点がある。さらに、管状バーの内部に圧媒流路、潤滑油流路、または測定装置等の電気ケーブルを入れてよく、これらを打ち傷から保護することができる。
【００２０】
一実施例の概念は、バーのうち少なくともいくつかは、上端部を斜めであることにある。
【００２１】
一実施例に概念は、保護ケーシングが少なくとも１つの強化板を含み、これは側板に当接して配設してよいことにある。強化板の縁端部は、接続隅部にてバーへ固定してもよい。したがって、応力に対して最も敏感な保護ケーシングの部位に強化板を設けてもよい。強化板は、材料が側板とは異なってもよい。強化板は、例えば耐摩耗性材料で作ってもよい。
【００２２】
一実施例の概念は、保護ケーシングがさまざまな厚さの側板を含むことである。その場合、最も応力に敏感な保護ケーシングの１つ以上の側には、他の側より薄い側板を設けてもよい。さらに、保護ケーシングの側板の材料は、必要に応じて選択してよい。１つの側板は、例えば耐摩耗性材料で作ってもよい。
【考案を実施するための最良の形態】
【００２３】
次に添付図面を参照して本考案によるいくつかの実施例を詳細に説明する。
【００２４】
図１において、破壊用ハンマー１は掘削機などの作業機２のブーム３の自由端に配設されている。破壊用ハンマー１は、どのような作業機２においても、例えば固定台上のブームに配設することができる。破壊用ハンマー１は衝撃装置４を有し、これによって衝撃パルスを生成することができる。破壊用ハンマー１は、衝撃装置４によって破壊用ハンマー１に連結されている工具６に対して衝撃が加えられると同時に、ブーム３によって被破壊材に対して押し付けられ、工具は衝撃を被破壊材へ伝達する。衝撃装置４は液圧式でよく、これによって作業機２の液圧系へ接続することができる。他方、衝撃装置４は他の種類、例えば電気式でもよい。さらに、衝撃パルスは、衝撃要素を衝撃装置４内で往復運動させることによって、もしくは他の何らかの方法によって生成してもよい。
【００２５】
破壊用ハンマー１は保護ケーシング７を有し、この内部には衝撃装置４が完全に、もしくは部分的に配設されている。保護ケーシング７は、衝撃装置４を使用中に打ち傷から保護することを目的としている。保護ケーシング７は、衝撃装置４の周囲が封密構造でよく、これによって衝撃装置４への湿気、塵および他の不純物の侵入を防止することができる。工具６は保護ケーシング７の下部に挿入されている。工具６と保護ケーシング７の下部との間には封止手段があってもよい。保護ケーシング７は、これに加わる応力に耐えさせるため、典型的には鋼鉄もしくは他の金属、通常は板金材で作られている。図１はさらに、保護ケーシング７が破壊用ハンマー１の固定装置の一部でよいことを示している。固定手段17は、保護ケーシング７の上部で、その上端あるいは、図１のようにその側腹面のいずれかに配置される。
【００２６】
図２は、実現可能な保護ケーシング７を示し、これは、下端部8a、すなわち工具６側の端部に下部の第１のケーシング部7aを、また反対側の上端部8aに上部の第２のケーシング部7bを有している。第２のケーシング部7bは、実質的にＵ形に屈曲した２つの半片9a、9bで形成してよく、これは、互いに当接して、例えば長手方向の溶接シーム10によって互いに固定されるように配設されている。または、第２のケーシング部7bは均一の鋳造物でもよく、もしくは２つ以上の部品から溶接したものでもよい。第２のケーシング部7bの上部はさらに、フランジもしくは他の固定用部材などの固定面11で構成してもよく、これによって破壊用ハンマーをブーム３へ固定することができる。第１のケーシング部7aおよび第２のケーシング部7bは、例えば溶接によって互いに固定することができ、またはこれらの間を他の固定構造があってもよい。また、第１のケーシング部7aが損傷した場合、これを取り外せるようにすることも可能である。
【００２７】
図２ないし図４は、第２のケーシング部7bとは構造が異なる第１のケーシング部7aを示す。第１のケーシング部7aの断面は複数の側板12aないし12dで構成し、これらは接合隅部13aないし13dにおいて互いに固定することができる。保護ケーシング７の断面は、典型的には実質的に正方形もしくは長方形であり、４枚の側板12と４つの隅部13とを含む。しかし、この断面は他の種類でもよく、その場合、数枚の側板でもよい。接合隅部13には長尺状バー14aないし14dが設けられ、これらは、ケーシング部7aの下端部の横断方向フランジ15からケーシング部7aの上端部まで延在している。バー14は丸型バーでもよい。側板12の縁端部は、長手方向の溶接接合部によって隅部13のバー14へ固定してもよい。
【００２８】
図５は保護ケーシング７を示し、その縁端部13では、バー14が保護ケーシングの下端部8aのフランジ15から上端部8bのフランジ16まで延在している。このように保護ケーシング７は、図２に示す保護ケーシングとは異なって、唯一のケーシング部を含む。保護ケーシング７はまた円錐形であり、これは下端部8aに向かって狭まっていることを意味する。フランジ16には固定用フランジ17等を設けることができ、これは、ブームに固定するための固定用開口部18等を有してもよい。
【００２９】
図６に示す保護ケーシング７の断面から分かるように、側板12aないし12dの長手方向の縁端部を斜に切って、または他の方法で形造して隅部13を作ることができる。これによって、丸い外面のバー14と側板との間には所望の縁ベベル19が形成され、これに対して溶接シーム20が溶接される。明瞭にするため、本図は２つの溶接シーム20のみを示す。バー14は管状でよく、その場合、これらの中に、例えば液圧ホース21、潤滑剤流路、もしくは電線を敷設することができる。図６はさらに、側板12の厚みを必要に応じて選択できることを示している。この場合、側板12は他の側板より厚い。また、保護ケーシング７の断面は１つ以上の強化板22を有していてもよい。強化板22は、バー14間の側板12に当接してもよい。強化板22は交換可能な摩耗部品、もしくは保護ケーシング７に一体化した部分でもよい。
【００３０】
図７は保護ケーシング７の矩形断面を示し、側板12aないし12dの間の隅部13aないし13dの外面にはバー14aないし14dが配設され、これらの断面は直角、すなわち正方形もしくは長方形の外形をなしている。
【００３１】
図８は保護ケーシング７の断面を示し、側板12aないし12dの間の隅部13aないし13dの外面には多角形断面のバー14aないし14dが配設されている。バー14の断面は、例えば５角ないし８角を有する外形であってもよい。
【００３２】
図９に示す保護ケーシング７は、下部の第１のケーシング部7aが、下から見た場合、保護ケーシングの中央領域より明らかに高く延在していることを除いては、図２に示す方式と実質的に同じである。したがって第１のケーシング部7aは、断面が図３および図４に示すケーシング部と同様でよい。または、この断面は、図６ないし図８の通りとしてもよい。さらに、第１のケーシング部7aは円錐形でもよい。また、第２のケーシング部7bも円錐形でよい。
【００３３】
保護ケーシングの両ケーシング部7a、7bは、バー14が隅部13に配設された断面を有することも可能である。さらにバー14は、通常、最大応力を受けるケーシング部7a、7bの特定部分まで、例えば下端部8aの領域までのみ延在させてもよい。したがって、場合によってはこれらバーは、保護ケーシングの中央領域より明らかに下に延在させてもよい。また、すべての隅部にバーを配するのではなく、隅部のいくつかにのみバーを設けることも可能である。
【００３４】
ここで特筆すべきは、このような長尺状バーは、さまざまな種類の構造の保護ケーシングの隅部に配設できることである。したがって保護ケーシングの断面は、２つの実質的にＵ字型の半片でよく、その場合、両半片の間の長尺状シームは、保護ケーシングの隅部ではなく側面に形成される。このような場合、長尺状バーを隅部に配設して、隅部の構造を支持することもできる。さらに、長尺状の屈曲した接合部品が保護ケーシングの隅部にあってもよい。その場合も、隅部に長尺状バーを設けて、隅部の構造を補強してもよい。
【００３５】
本願に記載の各特徴事項は、場合によっては他の特徴事項を無視して用いることができる。他方、本願に記載の各特徴事項は、必要な場合、組み合わせて、さまざまな組合せを作ることができる。
【００３６】
各図面およびその関連説明は本考案の概念の説明のみを企図したものである。その詳細について、本考案は実用新案登録請求の範囲内で改変することができる。
【図面の簡単な説明】
【００３７】
【図１】掘削機のブームに配設された破壊用ハンマーの模式的に示す側面図である。
【図２】本考案の保護ケーシングであって、下部ケーシング部にバーが設けられているものの模式的斜視図である。
【図３】図２に示す保護ケーシングの下部ケーシング部の模式的斜視図である。
【図４】図２および図３に示す保護ケーシングの下部ケーシング部を方向Ａから見た模式図である。
【図５】本考案による第２の保護ケーシングであって、ケーシングの形が下方に向けて狭まり、バーが保護ケーシングの接合隅部に底部から頂部まで延在して配設されているものを模式的に示す側面図である。
【図６】保護ケーシングの他の断面例を模式的に示す図である。
【図７】保護ケーシングのさらに他の断面例を模式的に示す図である。
【図８】保護ケーシングの別な断面例を模式的に示す図である。
【図９】保護ケーシングの下部ケーシング部が、下端から見た場合、保護ケーシングの中央領域よりも明らかに高く延びている保護ケーシングの他の実施例を模式的に示す斜視図である。
【符号の説明】
【００３８】
１  破壊用ハンマー
２  作業機
４  衝撃装置
６  工具
７  保護ケーシング
7a  第１のケーシング部
7b  第２のケーシング部
8a  下端部
8b  上端部
11、17  固定手段
12a〜12d  側板
13  接合隅部
14  バー
15、16  フランジ
【図１】
0003146972.tif 000003
【図２】
0003146972.tif 000004
【図３】
0003146972.tif 000005
【図４】
0003146972.tif 000006
【図５】
0003146972.tif 000007
【図６】
0003146972.tif 000008
【図７】
0003146972.tif 000009
【図８】
0003146972.tif 000010
【図９】
0003146972.tif 000011